(57)【要約】【課題】テレビジョン受信機のフロントキャビネットにおいて、外観に影響を与えること無くＣＲＴ取付け用ボスの強度を向上させることにある。【解決手段】ＣＲＴを取り付けるフロントキャビネットと、前記フロントキャビネットの後部に接続するリアキャビネットを備えるテレビジョンキャビネットであって、前記ＣＲＴを取り付けるために前記フロントキャビネット四隅の内壁に後方に向かって略水平に延びるＣＲＴ取付け用ボス３を複数設け、前記ＣＲＴ取付け用ボス３の根元近傍に於いて前記内壁の厚さｅを他の部分の厚さｄよりも前記ＣＲＴ取付け用ボス３の厚さｃの略半分だけ厚く形成した肉厚部１２を設け、前記肉厚部１２と前記他の部分との厚さの差ｅ−ｄの深さａを持つ複数の溝１６を前記肉厚部１２に格子状に形成したことを特徴とするテレビジョンキャビネット。【選択図】図４
2006129233.tif 000002
【特許請求の範囲】
【請求項１】
ＣＲＴを取り付けるフロントキャビネットと、前記フロントキャビネットの後部に接続するリアキャビネットを備えるテレビジョンキャビネットであって、
前記ＣＲＴを取り付けるために前記フロントキャビネット四隅の内壁に後方に向かって略水平に延びるＣＲＴ取付け用ボスを複数設け、前記ＣＲＴ取付け用ボスはその近傍に設けられた２つ以上のポストと板状片部によって連結し、前記ＣＲＴ取付け用ボスの根元近傍に於いて前記内壁の肉厚を他の部分よりも前記ＣＲＴ取付け用ボスの厚さの０．４５倍以上５倍以下の厚さで厚く形成した肉厚部を設け、前記肉厚部と前記他の部分との厚さの差の深さ及び幅を持つ複数の溝を前記肉厚部に格子状に形成し、前記ＣＲＴ取付け用ボスの直径は、前記内壁に形成された前記溝を３つ以上包含可能な長さであることを特徴とするテレビジョンキャビネット。
【請求項２】
ＣＲＴを取り付けるフロントキャビネットと、前記フロントキャビネットの後部に接続するリアキャビネットを備えるテレビジョンキャビネットであって、
前記ＣＲＴを取り付けるために前記フロントキャビネット四隅の内壁に後方に向かって略水平に延びるＣＲＴ取付け用ボスを複数設け、前記ＣＲＴ取付け用ボスの根元近傍に於いて前記内壁の厚さを他の部分よりも前記ＣＲＴ取付け用ボスの厚さの略半分だけ厚く形成した肉厚部を設け、前記肉厚部と前記他の部分との厚さの差の深さを持つ複数の溝を前記肉厚部に格子状に形成したことを特徴とするテレビジョンキャビネット。
【請求項３】
前記ＣＲＴ取付け用ボスの根元近傍に於いて、前記溝の形状が略矩形であることを特徴とする請求項２に記載のテレビジョンキャビネット。
【請求項４】
前記溝の幅は前記溝の深さと略同一であることを特徴とする、請求項２又は３に記載のテレビジョンキャビネット。
【請求項５】
前記ＣＲＴ取付け用ボスの直径は、前記内壁に形成された前記溝を３つ以上包含可能な長さであることを特徴とする請求項２乃至４の何れか一つに記載のテレビジョンキャビネット。
【請求項６】
前記溝が三角形であることを特徴とする請求項２に記載のテレビジョンキャビネット。
【請求項７】
前記溝が六角形であることを特徴とする請求項２に記載のテレビジョンキャビネット。
【請求項８】
前記溝が皺状であることを特徴とする請求項２に記載のテレビジョンキャビネット。
【請求項９】
前記ＣＲＴ取付け用ボスは、前記ＣＲＴ取付け用ボスの近傍に設けられたポストと、板状片部によって連結されており、前記ポスト及び前記板状片部の根元近傍に於いても、前記肉厚部が形成されるとともに前記溝が格子状に形成されていることを特徴とする請求項２乃至８の何れか一つに記載のテレビジョンキャビネット。
【請求項１０】
前記ＣＲＴ取付け用ボスの近傍に設けられた前記ポストの数が２つ以上であることを特徴とする請求項９に記載のテレビジョンキャビネット。
【発明の詳細な説明】
【技術分野】
【０００１】
本発明は、テレビジョンキャビネット、特に、ＣＲＴ取り付け用ボスを有するテレビジョンキャビネットに関する。
【背景技術】
【０００２】
テレビジョン受信機のＣＲＴは、該受信機のフロントキャビネットの前板裏面に形成された複数のボスに取り付けられる。こうしたＣＲＴ取付け用ボスは、フロントキャビネットの前板から後方に延ばされて形成される。このＣＲＴ取付け用ボスには、重量物であるＣＲＴを支持した状態で落下試験、実使用時の衝撃に耐える強度が必要とされる。
【０００３】
ＣＲＴ取付け用ボスの強度向上の１つの対策として、ボスを厚くすることが考えられる。しかしながらボスを厚くすると、ＣＲＴ取付け用ボスが形成された前板裏面と反対側の面、即ち前板表面にヒケが生じやすくなる。フロントキャビネットの前板表面にひけを生じると、外観に悪影響を与えて不良品として扱われる虞がある。従って、ＣＲＴ取付け用ボスの強度向上のためにＣＲＴ取付け用ボスを厚くすることはできない。
【０００４】
また、ＣＲＴ取付け用ボスの強度向上のためにボスの根元部分の肉厚を厚くすることも考えられるが、肉厚を単純に厚くしただけでは、フロントキャビネットを樹脂成型する際に前板表面にヒケが発生し、外観に悪影響を与えて不良品として扱われる虞がある。したがって、ヒケの発生を防止しつつＣＲＴ取付け用ボスの強度を向上する必要がある。
【０００５】
テレビジョンキャビネットのような樹脂成形部品の強度向上を目的として、種々の構造が提案されている。
【０００６】
特許文献１では、テレビジョンキャビネットのフロントキャビネット内面に、リアキャビネット取付け用ボス、保持リブを一体に形成し、この保持リブとＣＲＴガイドリブを連結している。また、リブの根元部分ではキャビネット外面のヒケ防止の為に厚さを薄くし、根元から離れた部分は強度向上のために厚さを厚くした構造を採用している。
【０００７】
特許文献２では、テレビジョンキャビネットの前部キャビネットの内面に形成されたＣＲＴ取付け用リブの周囲に、３つの筒状ポストを板状片部で連結した三角形状の構造体を形成し、該三角形状の構造体に補強用リブを設けている。これにより、前部キャビネットに大きな荷重や衝撃が加わっても、ＣＲＴ取付け用ボスの周辺での合成樹脂の白化を防ぐことが出来る。
【０００８】
特許文献３では、樹脂成形品に於けるボス部の根元付近の肉厚を調節することで樹脂流動を発生させて、ボス部に流れる充填材の配向と、ボス部に隣接する底面に流れる充填材の配向とが直交することを防止する。具体的には、ボスの根元付近を薄くすることで収縮が小さくなるので、ボス部の根元でヒケの発生を防ぐことができ、ボス部の根元付近の肉厚を厚くすることで、ボスの突起部に於けるウェルドの発生を防ぐことができ、強度向上が可能となる。
【０００９】
特許文献４では、光硬化樹脂製成形型で発生する、樹脂の硬化に伴うヒケや反りを防止する構成を扱っている。該成形型の箱型枠体は、低耐熱性の樹脂によって肉薄に形成され、その裏面には格子状に多数の補強リブが一体に形成され、バッキング材が充填されている。この構造により、光硬化樹脂の硬化後のヒケや反りの発生を防止し、強度を向上させている。
【００１０】
特許文献５では、肉厚部のヒケを内部発泡により防止する合成樹脂成形品を扱っている。該内部発泡は、補強突条を複数設けて金型のキャビティに発泡剤を混合した溶解原料を射出充填することによって発生する。この発泡により体積膨張が起こり、冷却に伴う原料の収縮を補正するので、ヒケの発生を防止することが出来る。
【００１１】
特許文献６では、スタック金型中で射出成型した２つのパネルを結合することによって、パネルの強度を向上させている。これらパネルの夫々には、格子状のリブが形成されており、リブの交点、或いは途中にボスが形成されている。
【００１２】
特許文献７には、ＣＲＴを取り付けるためにフロントキャビネット四隅の内側に後方に向かって略水平に延びるＣＲＴ取付け用ボスを複数設けた構成が記載されている。
【００１３】
特許文献８には、フロントキャビネット内壁面に複数の略矩形状のリブを一体形成し、これらのリブによってＣＲＴ取付け用ボスとポストとを連結した構成が記載されている。
【００１４】
特許文献９には、コンテナ容器の底板の荷重に対する強度、特にたわみ等に対する剛性を高めるための構成が記載されている。このコンテナ容器の底板の裏面、即ちコンテナ容器の底面の外壁には、規則的に縦横に連接された格子状のリブが形成されており、このリブによって底板の荷重に対する強度を向上させている。また、格子状のリブが六角形状をなす構造が記載されている。
【００１５】
特許文献１０には、リブが六角形状に配置されるように一体に樹脂成形された自動車用トリムが記載されている。
【００１６】
特許文献１１には、セラミック製品を焼成する際に使用される棚板が記載されている。この棚板には、載置されたセラミック製品の抜け止めの目的で、三角形状に配置されたリブが形成されている。
【特許文献１】特開平６−３１１４５９号公報（第２頁，第１図）
【特許文献２】実用新案登録第３０７３８４２号公報（段落００１７乃至００２０，第１図）
【特許文献３】特開２００４−５８４１３号公報（段落００１２乃至００１８，第１図及び第２図）
【特許文献４】特開平１０−１２８７５４号公報（段落００１８乃至００１９、第１図及び第２図）
【特許文献５】特開平１１−１９２６２７号公報（段落００１２）
【特許文献６】特開平９−１０４０８１号公報（第４頁、第３Ａ図及び第４Ａ図）
【特許文献７】特開平９−２８９６１９号公報
【特許文献８】特開２００３−２３００７５号公報（段落０００２，０００３，第３図）
【特許文献９】特開平９−１０４４４０号公報（第１−３図）
【特許文献１０】特開平１０−０３５３７２号公報（第３図）
【特許文献１１】特開２０００−００９３８９号公報（第７図）
【発明の開示】
【発明が解決しようとする課題】
【００１７】
上述の通り、特許文献１では、ボスと保持リブとの接触面積が小さいので落下試験時にボスとリブとの接触部に割れが生じ易いという問題がある。特許文献２では、ボスと三角形の構造体とをリブで連結しているが、リブとボスとの接触面積が小さいので落下試験時にボスとリブとの接触部に割れが生じ易いという問題がある。特許文献３では、ボス部の
根元部分の肉厚を調節することで強度を改善しているものの、根元部分の肉厚を厚くした際にはキャビネットの表面にヒケが発生する可能性があり、逆に根元部分の肉厚を薄くした場合には、ヒケの発生を防止することが出来たとしても、強度を向上させることは出来ない。特許文献４では、格子状の補強リブを形成し、バッキング材を充填することにより、肉薄に形成された箱型枠体のヒケや反りの発生防止と強度の改善をしているが、ＣＲＴ取付け用ボスの厚みとヒケ発生との関係については記載されておらず、このような構造ではＣＲＴ取付け用ボスの強度の際のヒケ防止対策には適用できない。特許文献５においても、発泡により肉厚部のヒケを防止しているが、肉厚を厚くしていないので、強度の改善が十分であるとは言えない。そして、特許文献６では、パネルに格子状のリブを形成し、ボスがリブの交差点、或いは途中に形成しているが、ボスと保持リブとの接触面積が小さいので落下試験時にボスとリブとの接触部に割れが生じ易いという問題がある。
【００１８】
また、特許文献８に記載の構造では、ＣＲＴ取付け用ボスをリブによってポストと連結しているが、ボスとリブとの接触面積が小さいので落下試験時にボスとリブとの接触部に割れが生じ易いという問題がある。特許文献９に記載のコンテナ容器では、リブの高さについて具体的に言及されておらず、ボスとの関係についても記載されていない。即ち、特許文献９には、ＣＲＴ取付け用ボスの補強構造のように、ボスの厚さに応じて外観にヒケが生じない様に構成する必要がある構造については記載されていない。特許文献１０に記載の構造は、自動車用トリムの裏面に形成されたリブにより、衝撃吸収性の確保と表面のヒケ防止とを両立させるものであるが、ＣＲＴ取付け用ボスの補強構造のように、ボスの厚さに応じて外観にヒケが生じない様に構成する必要がある構造については記載されていない。特許文献１１に記載の構造では、抜け止め防止の目的で三角形状に配置されたリブを設けているが、ＣＲＴ取付け用ボスの補強構造のように、ボスの厚さに応じて外観にヒケが生じない様に構成する必要がある構造については記載されていない。
本発明の目的は、テレビジョン受信機のフロントキャビネットにおいて、外観に影響を与えること無くＣＲＴ取付け用ボスの強度を向上させることにある。
【課題を解決するための手段】
【００１９】
第１発明に係るテレビジョンキャビネットは、ＣＲＴを取り付けるフロントキャビネットと、前記フロントキャビネットの後部に接続するリアキャビネットを備えるテレビジョンキャビネットであって、前記ＣＲＴを取り付けるために前記フロントキャビネット四隅の内壁に後方に向かって略水平に延びるＣＲＴ取付け用ボスを複数設け、前記ＣＲＴ取付け用ボスはその近傍に設けられた２つ以上のポストと板状片部によって連結し、前記ＣＲＴ取付け用ボスの根元近傍に於いて前記内壁の肉厚を他の部分よりも前記ＣＲＴ取付け用ボスの厚さの０．４５倍以上５倍以下の厚さで厚く形成した肉厚部を設け、前記肉厚部と前記他の部分との厚さの差の深さ及び幅を持つ複数の溝を前記肉厚部に格子状に形成し、前記ＣＲＴ取付け用ボスの直径は、前記内壁に形成された前記溝を３つ以上包含可能な長さであることを特徴とする。
【００２０】
このテレビジョンキャビネットによれば、ボスの根元部分を他の部分よりも、ボスの厚さの略半分だけ厚く形成し、肉厚部分に、肉厚にした厚さと等しい深さの複数の溝を形成することにより、ボスの強度を強化するとともに、肉厚部分に対応するフロントキャビネットの外観にヒケが生じることを防止できる。即ち、ボスの根元に肉厚部を形成するとともに肉厚にした分の深さの溝を複数形成することにより、ボスの強度を高めるように根元を肉厚にするとともに、複数の溝により樹脂形成の際のヒケの発生を防止できる。この結果、テレビジョン受信機のフロントキャビネットにおいて、外観に影響を与えること無くＣＲＴ取付け用ボスの強度を向上させることができる。
【００２１】
このテレビジョンキャビネットでは、肉厚部に形成する複数の溝の形状を略矩形とするので、樹脂成形により容易に溝を形成することができる。
【００２２】
このテレビジョンキャビネットでは、溝の幅を深さと同一とすることにより、対称性の良い溝となり、ボスの根元の強度を高める点で有利であり、樹脂成形も容易に行うことができる。
【００２３】
このテレビジョンキャビネットでは、ボスの直径が３つの溝を包含する様な長さに形成することにより、ボスの根元の強度向上とヒケ防止とを効果的に実現することができる。
【００２４】
このテレビジョンキャビネットでは、ボスの近傍にポストが設けられ、ボスとポストとが板状片により連結されているので、ボスの強度をさらに高めることができる。即ち、ボスの根元近傍に肉厚部を形成すること及びボスをポストと連結することにより、さらにボスの強度を高めることができる。また、ボスの根元のみでなく、ポスト及び板状片部の根元も肉厚に形成されており、肉厚部に複数の溝が格子状に形成されているので、ボス及びポストの根元の強度を強化するとともに、肉厚部においてヒケを防止することができる。従って、外観に影響を与えることなくテレビジョンキャビネットのＣＲＴ取付け用ボスの強度を高める効果をさらに向上できる。このテレビジョンキャビネットでは、１つのボスに対して２つのポストを連結するので効果的にボスの強度を高めることができる。
【００２５】
板状片部の厚さをボスの厚さと略同一とすることにより、板状片部の強度確保とヒケの防止とを両立させることができる。
【００２６】
第２発明に係るテレビジョンキャビネットは、ＣＲＴを取り付けるフロントキャビネットと、前記フロントキャビネットの後部に接続するリアキャビネットを備えるテレビジョンキャビネットであって、前記ＣＲＴを取り付けるために前記フロントキャビネット四隅の内壁に後方に向かって略水平に延びるＣＲＴ取付け用ボスを複数設け、前記ＣＲＴ取付け用ボスの根元近傍に於いて前記内壁の厚さを他の部分よりも前記ＣＲＴ取付け用ボスの厚さの略半分だけ厚く形成した肉厚部を設け、前記肉厚部と前記他の部分との厚さの差の深さを持つ複数の溝を前記肉厚部に格子状に形成したことを特徴とする。
【００２７】
このテレビジョンキャビネットによれば、ボスの根元部分を他の部分よりも、ボスの厚さの略半分だけ厚く形成し、肉厚部分に、肉厚にした厚さと等しい深さの複数の溝を形成することにより、ボスの強度を強化するとともに、肉厚部分に対応するフロントキャビネットの外観にヒケが生じることを防止できる。即ち、ボスの根元に肉厚部を形成するとともに肉厚にした分の深さの溝を複数形成することにより、ボスの強度を高めるように根元を肉厚にするとともに、複数の溝により樹脂形成の際のヒケの発生を防止できる。この結果、テレビジョン受信機のフロントキャビネットにおいて、外観に影響を与えること無くＣＲＴ取付け用ボスの強度を向上させることができる。
【００２８】
第３発明に係るテレビジョンキャビネットは、第２発明に係るテレビジョンキャビネットに於いて、前記ＣＲＴ取付け用ボスの根元近傍に於いて、前記溝の形状が略矩形であることを特徴とする。
【００２９】
このテレビジョンキャビネットでは、肉厚部に形成する複数の溝の形状を略矩形とするので、樹脂成形により容易に溝を形成することができる。
【００３０】
第４発明に係るテレビジョンキャビネットは、第２又は第３発明に係るテレビジョンキャビネットに於いて、前記溝の幅は前記溝の深さと略同一であることを特徴とする。
【００３１】
このテレビジョンキャビネットでは、溝の幅を深さと同一とすることにより、対称性の良い溝となり、ボスの根元の強度を高める点で有利であり、樹脂成形も容易に行うことができる。
【００３２】
第５発明に係るテレビジョンキャビネットは、第２乃至第５発明の何れかに係るテレビジョンキャビネットに於いて、前記ＣＲＴ取付け用ボスの直径は、前記内壁に形成された前記溝を３つ以上包含可能な長さであることを特徴とする。
【００３３】
このテレビジョンキャビネットでは、ボスの直径が３つの溝を包含する様な長さに形成
することにより、ボスの根元の強度向上とヒケ防止とを効果的に実現することができる。
【００３４】
第６発明に係るテレビジョンキャビネットは、第２発明に係るテレビジョンキャビネットに於いて、前記溝が三角形であることを特徴とする。
【００３５】
このテレビジョンキャビネットでは、溝の形状が簡易であり、樹脂生成を容易に行うことができる。また、三角形状の溝をランダムに配置すれば、あらゆる方向からの衝撃を分散させる易い。
【００３６】
第７発明に係るテレビジョンキャビネットは、第２発明に係るテレビジョンキャビネットに於いて、前記溝が六角形であることを特徴とする。
【００３７】
このテレビジョンキャビネットでは、溝の形状が対称性の良いものであり、ボスの根元の強度を高める点で有利であり、樹脂生成も容易に行うことができる。
【００３８】
第８発明に係るテレビジョンキャビネットは、第２発明に係るテレビジョンキャビネットに於いて、前記溝が皺状であることを特徴とする。
【００３９】
このテレビジョンキャビネットでは、複数の溝を皺状に形成することにより落下試験等で衝撃が加わりやすい方向の強度を高めたり、ランダムな方向に皺状の溝を形成することによりあらゆる方向からの衝撃を分散させることが可能である。
【００４０】
第９発明に係るテレビジョンキャビネットは、第２乃至第８発明に係るテレビジョンキャビネットに於いて、前記ＣＲＴ取付け用ボスは、前記ＣＲＴ取付け用ボスの近傍に設けられたポストと、板状片部によって連結されており、前記ポスト及び前記板状片部の根元近傍に於いても、前記肉厚部が形成されるとともに前記溝が格子状に形成されていることを特徴とする。
【００４１】
このテレビジョンキャビネットでは、ボスの近傍にポストが設けられ、ボスとポストとが板状片により連結されているので、ボスの強度をさらに高めることができる。即ち、ボスの根元近傍に肉厚部を形成すること及びボスをポストと連結することにより、さらにボスの強度を高めることができる。また、ボスの根元のみでなく、ポスト及び板状片部の根元も肉厚に形成されており、肉厚部に複数の溝が格子状に形成されているので、ボス及びポストの根元の強度を強化するとともに、肉厚部においてヒケを防止することができる。従って、外観に影響を与えることなくテレビジョンキャビネットのＣＲＴ取付け用ボスの強度を高める効果をさらに向上できる。
【００４２】
第１０発明に係るテレビジョンキャビネットは、第９発明に係るテレビジョンキャビネットにおいて、前記ＣＲＴ取付け用ボスの近傍に設けられた前記ポストの数が２つ以上であることを特徴とする。
【００４３】
このテレビジョンキャビネットでは、１つのボスに対して２つのボスを連結するので効果的にボスの強度を高めることができる。
【発明の効果】
【００４４】
本発明によれば、ヒケの発生を防ぐと共にボスの根元部分の強度を高める構造を提供することが出来る。
【発明を実施するための最良の形態】
【００４５】
（１）第１実施形態
〔全体構成〕
本発明の第１実施形態に係るテレビジョン受信機のキャビネットは、キャビネットの前面側をカバーするフロントキャビネット１と、背面側をカバーするリアキャビネット（図示せず）で構成される。
【００４６】
図１は、本発明の第１実施形態のテレビジョンキャビネットに於けるフロントキャビネットを裏側から見た背面図である。図１に図示されたフロントキャビネット１は、天板７、２つの側板８、底板９、及び前板１０とを有しており、前板１０にはＣＲＴ（図示せず）の画像表示面が配備される開口部６が形成されている。そして、この開口部６の周辺を囲むようにして、ポスト４や板状片部１１等が支持する枠組みとして形成されており、開口部６の四隅の外側には、ＣＲＴを固定するために前板１０から後方に向かって略水平に延びたＣＲＴ取付け用ボス３が形成されている。また、前板１０に於ける開口部６の下方には、スピーカ設置部１３、ビデオテープ挿入口１４、ＤＶＤ挿入口１５等が設けられている。天板７、２つの側板８、底板９、前板１０、ＣＲＴ取付け用ボス３、ポスト４及び板状片部５は、樹脂成形により一体に形成される。
【００４７】
[ＣＲＴ取付け用ボス及びその近傍箇所の構造]
図２は、本発明の第１実施形態に係るテレビジョンキャビネットのフロントキャビネット１に於ける、開口部６の左上コーナ部の外側に形成されたＣＲＴ取付け用ボス３の近傍箇所２を拡大図示したものである。その他のコーナ部におけるＣＲＴ取付け用ボス３、及び、その近傍箇所の構造も同様であるので、ここでは、左上コーナ部を例に挙げて説明する。
【００４８】
ＣＲＴ取付け用ボス３は、前板１０の裏面から後方に向かって略水平に延びるように形成されており、その形状は円筒形である。また、ＣＲＴ取付け用ボス３の近傍において、天板７の裏面にポスト４ａが形成されており、側壁８の裏面にポスト４ｂが形成されている。前板１０の裏面には、板状片部５ａ乃至５ｄが形成されている。板状片部５ａの一端は、ＣＲＴ取付け用ボス３の側壁に連結されており、他端がポスト４ａの側壁に連結されている。即ち、板状片部５ａは、ＣＲＴ取付け用ボス３とポスト４ａとを連結している。板状片部５ｂの一端は、ＣＲＴ取付け用ボス３の側壁に連結されており、他端がポスト４ｂの側壁に連結されている。即ち、板状片部５ｂは、ＣＲＴ取付け用ボス３とポスト４ｂとを連結している。板状片部５ａと板状片部５ｂとは鈍角を成している。ＣＲＴ取付け用ボス３の側壁は、さらに、板状片部５ｃ、５ｄによって天板７及び側板８の裏面に連結されている。
【００４９】
ＣＲＴは、このＣＲＴ取付け用ボス３と、ＣＲＴに固定されたＣＲＴ取付け用金具（図示せず）とがネジ留めされることによって固定される。
【００５０】
前板１０の裏面に於いて、ＣＲＴ取付け用ボス３の根元近傍からポスト４の根元近傍に亘って、該ボス３の強度補強用の肉厚部１２が形成されており、肉厚部１２には略矩形状の溝１６が格子状に複数形成されている。
【００５１】
図３は、肉厚部１２の一部を拡大した平面図であり、図４は、図２のＩＶ−ＩＶにおける断面図である。以下、図３及び図４を参照しつつ、肉厚部１２及び溝１６について詳細に説明する。
【００５２】
図３に示すように、肉厚部１２に形成される溝１６の幅は、上下方向と横方向とで等しい。また、溝１６の幅ｂは、溝１６の深さａ（図４参照）と略同一に形成されている。ここでは、溝１６の幅ｂを上下方向と横方向とで等しくしたが、ＣＲＴ取付け用ボス３の強度が確保できかつ肉厚部１２に対応する前板１０表面でのヒケを防止できる範囲で、溝１６の幅を変更可能である。また、ここでは、溝１６の幅を深さと略同一としたが、ＣＲＴ取付け用ボス３の強度が確保できかつ肉厚部１２に対応する前板１０表面でのヒケを防止できる範囲で、溝１６の幅と深さの関係を変更可能である。
【００５３】
また、ＣＲＴ取付け用ボス３は、図３に示すように、３つの溝１６を包含する長さの直径で形成されている。ＣＲＴ取付け用ボス３の強度確保と肉厚部１２に対応する前板１０
表面でのヒケ防止とを両立させるには、ＣＲＴ取付け用ボス３の直径に３つ以上の溝１６が包含されるように形成することが好ましい。
【００５４】
溝１６の深さａは、図４に示すように、肉厚部１２の厚さｅと、その他の部分の厚さｄとの差と等しい。即ち式（１）を満たす。
【００５５】
ａ＝ｅ−ｄ・・・（１）
ここでは、深さａが肉厚部の厚さｅとその他の部分の厚さｄとの差に等しいとしたが、ＣＲＴ取付け用ボス３の強度が確保できかつ肉厚部１２に対応する前板１０表面でのヒケを防止できる範囲で、溝１６の深さを変更可能である。
【００５６】
溝１６の深さａ、即ち肉厚部１２がその他の部分よりも厚く形成された分の厚さｅ−ｄは、ＣＲＴ取付け用ボス３の厚さｃの略半分である。ここで、ｃの略半分とは、ｃの０．４５〜５倍を意味する。即ち、式（２）を満たす。
【００５７】
ａ＝ｅ−ｄ＝０．４５〜５＊ｃ・・・（２）
このように、ＣＲＴ取付け用ボス３の根元近傍にその他の部分よりもＣＲＴ取付け用ボス３の厚さの０．４５〜５倍の厚さ厚い肉厚部１２を形成し、深さａが肉厚部１２で厚くなった分の厚さｅ−ｄと等しい溝１６を形成することにより、ＣＲＴ取付け用ボス３の強度を向上させるとともに、同時に肉厚部１２に対応する前板１０表面でのヒケを防止することができる。即ち、ＣＲＴ取付け用ボス３の根元が肉厚部１２によって強度を増す一方、複数の溝１６によって肉厚部１２の体積を低減することで肉厚部１２に対応する前板１０表面でのヒケを防止することができる。
【００５８】
また、溝１６の幅ｂを深さａと略同一として溝１６を立方体に近い形状とすることで、あらゆる方向からの衝撃を吸収しやすくなる。
【００５９】
また、ポスト４ａ及び４ｂの厚さｆ、板状片部５ａ乃至５ｄの厚さｇは、その他の部分ｄ以下とする。即ち、式（３）を満たす。ｆ，ｇを大きくすると、ポスト４ａ及び４ｂ、板状片部５ａ乃至５ｄの部分で前板１０の表面にヒケが生じる可能性が高くなるからである。
【００６０】
ｆ，ｇ≦ｄ・・・（３）
以上の条件を満たす寸法は、例えば、ａ＝１．０ｍｍ、ｂ＝１．０ｍｍ、ｃ＝２〜２．２ｍｍ、ｄ＝２．３ｍｍ、ｅ＝３．３ｍｍ，ｆ＝２．３ｍｍ、ｇ＝２．３ｍｍとすることができる。
【００６１】
なお、本実施形態においては、ＣＲＴ取付け用ボスと連結するポストは２つであるが、ポストの数を３つ以上備える構造として、フロントキャビネットの前板にＣＲＴ取付け用ボスを保持する強度を高めても良い。
【００６２】
また、本実施形態に於いては、肉厚部１２によって形成される溝１６の形状を四角形としたが、三角形、六角形等の多角形を採用しても良い。
【００６３】
また、本実施形態に於いては、形状が直方体の肉厚部１２を複数配置することによって、溝１６を形成しているが、曲線状のリブを皺状に配置することによって、ボスの根元部分及びその近傍の強度を高める構成としてもよい。
【００６４】
[作用効果]
本実施形態によれば、ＣＲＴ取付け用ボス３の根元部分を他の部分よりも、ＣＲＴ取付
け用ボス３の厚さｃの略半分ｃ／２だけ厚く形成し、肉厚部分１２に、肉厚にした厚さｅ−ｄと等しい深さａの複数の溝１６を形成することにより、ＣＲＴ取付け用ボス３の強度を強化するとともに、肉厚部分１２に対応するフロントキャビネット１の外観にヒケが生じることを防止できる。即ち、ＣＲＴ取付け用ボス３の根元に肉厚部１２を形成するとともに肉厚にした分ｅ−ｄの深さａの溝１６を複数形成することにより、ＣＲＴ取付け用ボス３の強度を高めるように根元を肉厚にできるとともに、溝１６によって肉厚部１２の体積を低減して樹脂形成の際のヒケの発生を防止できる。この結果、テレビジョン受信機のフロントキャビネット１において、外観に影響を与えること無くＣＲＴ取付け用ボス３の強度を向上させることができる。
【００６５】
また本実施形態では、肉厚部に形成する複数の溝１６の形状を立方体とするので、樹脂成形により容易に溝１６を形成することができる。また、溝１６を立方体とすると溝１６の対称性が良いので、あらゆる方向からの衝撃に対して衝撃を吸収しやすい。
【００６６】
また本実施形態では、平面視において溝１６がＣＲＴ取付け用ボス３に３つ以上包含される密度で、肉厚部１２に形成することで、肉厚部１２による強度向上の効果が低下することなく、肉厚部１２の体積低減によるヒケの防止を図ることができる。
【００６７】
また、ＣＲＴ取付け用ボス３の近傍にポスト４ａ、４ｂが設けられ、ＣＲＴ取付け用ボス３とポスト４ａ、４ｂとが板状片部５ａ、５ｂにより連結されているので、ＣＲＴ取付け用ボス３の強度をさらに高めることができる。即ち、ＣＲＴ取付け用ボス３の根元近傍に肉厚部１２を形成すること及びＣＲＴ取付け用ボス３をポスト４ａ、４ｂと連結することにより、さらにＣＲＴ取付け用ボス３の強度を高めることができる。また、ＣＲＴ取付け用ボス３の根元のみでなく、ポスト４ａ、４ｂ及び板状片部５ａ、５ｂの根元も肉厚に形成されており、肉厚部１２に複数の溝１６が格子状に形成されているので、ＣＲＴ取付け用ボス３及びポスト４ａ、４ｂの根元の強度を強化するとともに、肉厚部１２においてヒケを防止することができる。従って、外観に影響を与えることなくテレビジョンキャビネットのＣＲＴ取付け用ボス３の強度を高める効果をさらに向上できる。また、１つのＣＲＴ取付け用ボス３に対して２つのポスト４ａ、４ｂを連結するので効果的にボスの強度を高めることができる。
【００６８】
また、ポスト４ａ、４ｂの厚さｇ及び板状片部５ａ、５ｂの厚さｆをその他の部分の厚さｄ以下とすることで、ポスト４ａ、４ｂ及び板状片部５ａ、５ｂの強度確保とヒケの防止とを両立させることができる。
【図面の簡単な説明】
【００６９】
【図１】本実施形態によるフロントキャビネットの背面図
【図２】本実施形態によるＣＲＴ取付け用ボス及びその近傍の拡大図
【図３】本実施形態によるＣＲＴ取付け用ボスと格子の大きさの関係を示す図
【図４】図２のＩＶ−ＩＶでの断面図。
【符号の説明】
【００７０】
１    テレビジョン受信機のフロントキャビネット
２    ＣＲＴ取付け用ボスの近傍箇所
３    ＣＲＴ取付け用ボス
４ａ，４ｂ    ポスト
５ａ〜５ｄ    板状片部
６    開口部
７    天板
８    側板
９    底板
１０  前板
１１  リブ
１２  肉厚部
１３  スピーカ設置部
１４  ビデオテープ挿入口
１５  ＤＶＤ挿入口
１６  溝
【図１】
2006129233.tif 000003
【図２】
2006129233.tif 000004
【図３】
2006129233.tif 000005
【図４】
2006129233.tif 000006